(57)【要約】【課題】入力された光多重化信号のうち、トランスポンダ機能部が選択受信する一の波長の光信号の強度を把握することができる光伝送装置を提供する。【解決手段】光チャネルモニタ機能部が、波長が異なる複数の光信号が多重化された光多重化信号を入力して、当該光多重化信号に含まれる光信号ごとの強度を示す光多重化信号スペクトル情報を取得し、トランスポンダ機能部が、前記光多重化信号を入力し、当該光多重化信号から一の光信号を選択受信して所望の情報を取得するとともに、前記光多重化信号の強度を取得し、監視制御部が、前記光チャネルモニタ機能部が取得した前記光多重化信号スペクトル情報と、前記トランスポンダ機能部が取得した前記光多重化信号の強度に基づいて、前記トランスポンダ機能部が選択受信した一の光信号の強度を算出する。【選択図】図１
2014039156.tif 000002
【特許請求の範囲】
【請求項１】
波長が異なる複数の光信号が多重化された光多重化信号を入力し、当該光多重化信号に含まれる光信号ごとの強度を示す光多重化信号スペクトル情報を取得する光チャネルモニタ機能部と、
前記光多重化信号を入力し、当該光多重化信号から一の光信号を選択受信して所望の情報を取得するとともに、前記光多重化信号の強度を取得するトランスポンダ機能部と、
前記光チャネルモニタ機能部が取得した前記光多重化信号スペクトル情報と、前記トランスポンダ機能部が取得した前記光多重化信号の強度に基づいて、前記トランスポンダ機能部が選択受信した一の光信号の強度を算出する監視制御部と、
を備える光伝送装置。
【請求項２】
前記光チャネルモニタ機能部が取得した前記光多重化信号スペクトル情報を、光伝送路を介して他の光伝送装置へと送信する監視制御光機能部と、
を備える請求項１に記載の光伝送装置。
【請求項３】
前記監視制御光機能部は、
さらに、他の光伝送装置が備える監視制御光機能部が送信した他の光多重化信号スペクトル情報を、光伝送路を介して受信して取得し、
前記監視制御部は、
前記光チャネルモニタ機能部が取得した前記光多重化信号スペクトル情報に替えて、前記監視制御光機能部が取得した前記他の光多重化信号スペクトル情報と、前記トランスポンダ機能部が取得した前記光多重化信号の強度に基づいて、前記トランスポンダ機能部が選択受信した一の光信号の強度を算出する、
ことを特徴とする請求項１または請求項２に記載の光伝送装置。
【請求項４】
前記監視制御部は、前記光チャネルモニタ機能部が取得した前記光多重化信号スペクトル情報を用いて、前記トランスポンダ機能部が選択受信した一の光信号の強度比を算出し、これを前記トランスポンダ機能部が取得した前記光多重化信号の強度に乗算することによって、前記トランスポンダ機能部が選択受信した一の光信号の強度を算出する、
ことを特徴とする請求項１に記載の光伝送装置。
【請求項５】
前記監視制御部は、前記監視制御光機能部が取得した前記他の光多重化信号スペクトル情報を用いて、前記トランスポンダ機能部が選択受信した一の光信号の強度比を算出し、これを前記トランスポンダ機能部が取得した前記光多重化信号の強度に乗算することによって、前記トランスポンダ機能部が選択受信した一の光信号の強度を算出する、
ことを特徴とする請求項３に記載の光伝送装置。
【請求項６】
複数の光伝送路を介して受信した複数の光多重化信号を、前記トランスポンダ機能部または前記光チャネルモニタ機能部へ分配して出力する光合分波機能部と、
を備える請求項１から請求項４の何れか一に記載の光伝送装置。
【請求項７】
波長が異なる複数の光信号が多重化された光多重化信号を入力し、当該光多重化信号に含まれる光信号ごとの強度を示す光多重化信号スペクトル情報を取得する光チャネルモニタ機能部と、
前記光多重化信号を入力し、当該光多重化信号から一の光信号を選択受信して所望の情報を取得する複数のトランスポンダ機能部と、
複数の光伝送路を介して受信した複数の光多重化信号を、前記トランスポンダ機能部または前記光チャネルモニタ機能部へ分配して出力する光合分波機能部と、
前記光チャネルモニタ機能部が取得した前記光多重化信号スペクトル情報に基づいて、前記トランスポンダ機能部が選択受信した一の光信号の強度を算出する監視制御部と、
を備える光伝送装置。
【請求項８】
前記光合分波機能部は、前記複数の光伝送路を介して受信した複数の光多重化信号の一ずつを、一定期間ごとに切り替えて前記光チャネルモニタ機能部へと送信する、
ことを特徴とする請求項６または請求項７に記載の光伝送装置。
【請求項９】
波長が異なる複数の光信号が多重化された光多重化信号を入力し、当該光多重化信号に含まれる光信号ごとの強度を示す光多重化信号スペクトル情報を取得する光チャネルモニタ機能部と、
前記光チャネルモニタ機能部が取得した前記光多重化信号スペクトル情報を、光伝送路を介して他の光伝送装置へと送信する監視制御光機能部と、
を備える第一の光伝送装置と、
光伝送路を介して受信した光多重化信号を入力し、入力した前記光多重化信号から一の光信号を選択受信して所望の情報を取得するとともに、前記光多重化信号の強度を取得するトランスポンダ機能部と、
前記第一の光伝送装置が備える前記監視制御光機能部から、光伝送路を介して受信した前記光多重化信号スペクトル情報と、前記トランスポンダ機能部が取得した前記光多重化信号の強度に基づいて、前記トランスポンダ機能部が選択受信した一の光信号の強度を算出する監視制御部と、
を備える第二の光伝送装置と、
が光伝送路によって接続されたことを特徴とする光伝送システム。
【請求項１０】
光チャネルモニタ機能部が、波長が異なる複数の光信号が多重化された光多重化信号を入力して、当該光多重化信号に含まれる光信号ごとの強度を示す光多重化信号スペクトル情報を取得し、
トランスポンダ機能部が、前記光多重化信号を入力し、当該光多重化信号から一の光信号を選択受信して所望の情報を取得するとともに、前記光多重化信号の強度を取得し、
監視制御部が、前記光チャネルモニタ機能部が取得した前記光多重化信号スペクトル情報と、前記トランスポンダ機能部が取得した前記光多重化信号の強度に基づいて、前記トランスポンダ機能部が選択受信した一の光信号の強度を算出する、
ことを特徴とする光伝送方法。
【発明の詳細な説明】
【技術分野】
【０００１】
本発明は、通信障害検知機能を備える波長多重光信号の光伝送装置、光伝送システム及び光伝送方法に関する。
【背景技術】
【０００２】
近年、音声・映像などの大容量コンテンツを扱うサービスの拡大とともに光伝送ネットワークの大容量化、長距離化のニーズが高まっている。このような要求を満たすために、近年の光伝送ネットワークにおいて、ＷＤＭ（Ｗａｖｅｌｅｎｇｔｈ  Ｄｉｖｉｓｉｏｎ  Ｍｕｌｔｉｐｌｅｘｉｎｇ：波長分割多重）技術の導入が検討されている。ＷＤＭ技術による光通信では、光ファイバを通過する光信号が異なる波長の光信号と干渉しないことを利用して、1本の光ファイバケーブル内で、個別の波長ごとに信号チャネルを形成することができる。したがって、一本の光ファイバケーブルで、単位時間当たりに伝送できる情報量を大幅に増やすことができる。また、より柔軟なネットワークを構築するために、端局装置、中継装置や、光の波長単位で光信号の分岐挿入を行うＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ：光挿入分岐装置）などの開発および導入が進んでいる。
【０００３】
上述のようなＷＤＭ技術を用いた光伝送ネットワークでは、光伝送装置は、波長多重化された光信号（光多重化信号）のうち特定の波長のみを透過する専用の波長フィルタによって、所望の情報を有する一の波長の光信号を抽出し、これをトランスポンダ機能部へと入力する。しかし、近年のデジタルコヒーレント方式の光受信機能を持つトランスポンダ機能部は、内部に備える局発光源の波長を適宜選択することで、入力された光多重化信号から所望の一の波長の光信号成分のみを検出することができる（Ｌｏｃａｌ Ｏｓｃｉｌｌａｔｏｒ Ｓｅｌｅｃｔｉｏｎ）。このような機能を備えるトランスポンダ機能部を用いれば、トランスポンダ機能部自身が、光多重化信号から所望の情報を直接取得することができるので、上述したような波長フィルタを設ける必要がなくなる。したがって、ＷＤＭ光伝送装置の製造にあたっては、波長フィルタの部品を減らし、製造コストを削減する面で、上述したフィルタレス機能を備えるトランスポンダ機能部を使用するのが理想的とされる。
【０００４】
一方、光多重化信号は、長距離にわたる光伝送路を伝搬する間に、伝送損失により信号強度が減衰する。この伝送損失には波長依存性があるため、光伝送装置に到達した光多重化信号は、波長ごとの光信号の強度に偏差が生じた状態となっている場合がほとんどである。そのため、何らかの通信障害が生じた際には、光多重化信号そのものの強度ではなく、その光多重化信号に含まれる波長ごとの光信号の強度を精査することが重要である。
なお本発明に関連する技術として、光伝送に利用される受信装置の技術が特許文献１に記載されている。
【先行技術文献】
【特許文献】
【０００５】
【特許文献１】特開２００１−３５８６６０号公報
【発明の概要】
【発明が解決しようとする課題】
【０００６】
ところで、上述した通り、本来、トランスポンダ機能部は、フィルタを介して抽出された一の波長の光信号のみを入力としていたため、トランスポンダ機能部に入力される光信号の強度（すなわち、フィルタにより抽出された一の波長のみの光信号の強度）を容易に検出することができた。
ところが、上述したとおり、フィルタレス機能を備えるトランスポンダ機能部では、光多重化信号そのものを入力信号とし、内部に備える局発光源との干渉によって波長の選択及び情報の抽出を行っている。すると、その機構の性質上、光多重化信号全体としての強度を取得することはできても、トランスポンダ機能部が選択する波長単位での強度を取得することができない。そうすると、通信障害が発生した際に、目的とする光信号の強度の低下が原因なのか、それ以外の要因によるものかの切り分けができなくなるという新たな問題が生じる。
【０００７】
一方、光多重化信号の波長ごとの光信号の強度を検出するモニタ（光チャネルモニタ機能部）を用いれば、光多重化信号を構成する波長ごとの光信号の強度を取得することができる。しかし、トランスポンダ機能部の全てについて、光チャネルモニタ機能部を搭載させることは、極端な製造コストの増加につながるため、現実的ではない。
【０００８】
そこでこの発明は、上述の問題を解決することのできる光伝送装置、光伝送システム及び光伝送方法を提供することを目的としている。
【課題を解決するための手段】
【０００９】
本発明は、上述の課題を解決すべくなされたもので、波長が異なる複数の光信号が多重化された光多重化信号を入力し、当該光多重化信号に含まれる光信号ごとの強度を示す光多重化信号スペクトル情報を取得する光チャネルモニタ機能部と、前記光多重化信号を入力し、当該光多重化信号から一の光信号を選択受信して所望の情報を取得するとともに、前記光多重化信号の強度を取得するトランスポンダ機能部と、前記光チャネルモニタ機能部が取得した前記光多重化信号スペクトル情報と、前記トランスポンダ機能部が取得した前記光多重化信号の強度に基づいて、前記トランスポンダ機能部が選択受信した一の光信号の強度を算出する監視制御部と、を備える光伝送装置である。
【００１０】
また、本発明は、波長が異なる複数の光信号が多重化された光多重化信号を入力し、当該光多重化信号に含まれる光信号ごとの強度を示す光多重化信号スペクトル情報を取得する光チャネルモニタ機能部と、前記光多重化信号を入力し、当該光多重化信号から一の光信号を選択受信して所望の情報を取得する複数のトランスポンダ機能部と、複数の光伝送路を介して受信した複数の光多重化信号を、前記トランスポンダ機能部または前記光チャネルモニタ機能部へ分配して出力する光合分波機能部と、前記光チャネルモニタ機能部が取得した前記光多重化信号スペクトル情報に基づいて、前記トランスポンダ機能部が選択受信した一の光信号の強度を算出する監視制御部と、を備える光伝送装置である。
【００１１】
また、本発明は、波長が異なる複数の光信号が多重化された光多重化信号を入力し、当該光多重化信号に含まれる光信号ごとの強度を示す光多重化信号スペクトル情報を取得する光チャネルモニタ機能部と、前記光チャネルモニタ機能部が取得した前記光多重化信号スペクトル情報を、光伝送路を介して他の光伝送装置へと送信する監視制御光機能部と、を備える第一の光伝送装置と、光伝送路を介して受信した光多重化信号を入力し、入力した前記光多重化信号から一の光信号を選択受信して所望の情報を取得するとともに、前記光多重化信号の強度を取得するトランスポンダ機能部と、前記第一の光伝送装置が備える前記監視制御光機能部から、光伝送路を介して受信した前記光多重化信号スペクトル情報と、前記トランスポンダ機能部が取得した前記光多重化信号の強度に基づいて、前記トランスポンダ機能部が選択受信した一の光信号の強度を算出する監視制御部と、を備える第二の光伝送装置と、が光伝送路によって接続されたことを特徴とする光伝送システムである。
【００１２】
また、本発明は、光チャネルモニタ機能部が、波長が異なる複数の光信号が多重化された光多重化信号を入力して、当該光多重化信号に含まれる光信号ごとの強度を示す光多重化信号スペクトル情報を取得し、トランスポンダ機能部が、前記光多重化信号を入力し、当該光多重化信号から一の光信号を選択受信して所望の情報を取得するとともに、前記光多重化信号の強度を取得し、監視制御部が、前記光チャネルモニタ機能部が取得した前記光多重化信号スペクトル情報と、前記トランスポンダ機能部が取得した前記光多重化信号の強度に基づいて、前記トランスポンダ機能部が選択受信した一の光信号の強度を算出する、ことを特徴とする光伝送方法である。
【００１３】
また、本発明は、光チャネルモニタ機能部が、波長が異なる複数の光信号が多重化された光多重化信号を入力して、当該光多重化信号に含まれる光信号ごとの強度を示す光多重化信号スペクトル情報を取得し、複数のトランスポンダ機能部が、前記光多重化信号を入力し、当該光多重化信号から一の光信号を選択受信して所望の情報を取得し、光合分波機能部が、複数の光伝送路を介して受信した複数の光多重化信号を、その一ずつ、前記トランスポンダ機能部または前記光チャネルモニタ機能部へ分配して出力し、監視制御部が、前記光チャネルモニタ機能部が取得した前記光多重化信号スペクトル情報に基づいて、前記トランスポンダ機能部が選択受信した一の光信号の強度を算出する、ことを特徴とする光伝送方法である。
【発明の効果】
【００１４】
本発明によれば、トランスポンダ機能部が選択受信する一の波長の光信号の強度を把握することができ、オペレータは、光多重化信号に含まれる特定の一の波長の光信号に障害が生じているかどうかを瞬時に判断することが可能となる。
【図面の簡単な説明】
【００１５】
【図１】本発明の第一の実施形態の機能構成を示す第一の図である。
【図２】本発明の第一の実施形態の機能構成を示す第二の図である。
【図３】本発明の第二の実施形態の機能構成を示す第一の図である。
【図４】本発明の第二の実施形態の機能構成を示す第二の図である。
【図５】本発明の第三の実施形態の機能構成を示す図である。
【発明を実施するための形態】
【００１６】
＜第一の実施形態＞
以下、本発明の第一の実施形態による光伝送装置を、図面を参照して説明する。
図１は、本発明の第一の実施形態による光伝送装置の機能構成を示す第一の図である。
この図において、符号１０は光伝送装置であり、光伝送装置１０は、光伝送路０１を介して他の光伝送装置と接続されている。また、光伝送装置１０は、光伝送路０１を介して、波長が異なる複数の光信号が多重化されたＷＤＭ信号（光多重化信号）を送受信する。
図1に示す通り、光伝送装置１０は、光チャネルモニタ機能部１１、光分岐部１２、トランスポンダ機能部１３、監視制御部１４及び各種機能ブロック１５を備えている。なお、光伝送装置１０は、これら以外の構成要素を備えていてもよい。
【００１７】
光チャネルモニタ機能部１１は、光伝送装置１０が光伝送路０１を介して受信した光多重化信号を、光分岐部１２を介して入力し、その光多重化信号の波長ごとの光信号の強度を示すスペクトル情報（光多重化信号スペクトル情報）を取得する機能を備えている。光チャネルモニタ機能部１１は、光伝送装置１０が受信した光多重化信号の光信号ごとの利得を一定に制御するなどの目的で、一般的な光伝送装置に実装されているものである。
ここで、光分岐部１２は、全波長の光信号を一定の強度比率で分岐するものである。光分岐部１２は、光伝送装置１０が受信した光多重化信号の全波長について等しい比率で分岐し、光チャネルモニタ機能部１１及び各種機能ブロック１５へと出力する。
【００１８】
トランスポンダ機能部１３は、一般的に、光信号と電気信号の相互変換を行い、クライアント情報通信端末（図示せず）と光伝送路とのインターフェイスとして用いられるものである。
トランスポンダ機能部１３は、光伝送装置１０が受信した光多重化信号を、光分岐部１２及び各種機能ブロック１５を介して入力する。ここで、トランスポンダ機能部１３は、フィルタレス機能を備えるものである。フィルタレス機能を備えるトランスポンダ機能部１３は、光多重化信号そのものを入力し、その内部において任意の一の波長の光信号を選択受信することができる。
また、トランスポンダ機能部１３は、さらに、入力した光多重化信号の強度を取得する機能も備えている。
【００１９】
監視制御部１４は、光チャネルモニタ機能部１１が取得した光多重化信号スペクトル情報と、トランスポンダ機能部１３が取得した光多重化信号の強度を受け取って、これらの情報を元に、トランスポンダ機能部１３が選択受信した一の波長の光信号の強度を算出する機能を備える。
【００２０】
次に、第一の実施形態による光伝送装置１０の具体的な動作について、順を追って説明する。
まず、光伝送装置１０は、光伝送路０１を介して光多重化信号を受信する。すると、光分岐部１２は、受信した光多重化信号を、全波長について一定の強度比率で分岐して、光チャネルモニタ機能部１１及び各種機能ブロック１５へと出力する。光多重化信号を入力した光チャネルモニタ機能部１１は、その光多重化信号スペクトル情報を取得し、さらに、その情報を監視制御部１４へ通知する。
【００２１】
一方、各種機能ブロック１５へと出力された光多重化信号については、トランスポンダ機能部１３が各種機能ブロック１５を介して入力する。光多重化信号を入力したトランスポンダ機能部１３は、その内部において光多重化信号から一の波長の光信号を選択受信し、所望の情報を取得するとともに、入力した光多重化信号の強度を取得する。さらに、取得した光多重化信号の強度を監視制御部１４へ通知する。
【００２２】
そして、監視制御部１４は、光チャネルモニタ機能部１１及びトランスポンダ機能部１３が取得した情報の通知を受け、トランスポンダ機能部１３が選択受信する一の波長の光信号の強度を算出し、これを適当な表示手段（図示せず）に通知して表示する。
【００２３】
ここで、監視制御部１４による、トランスポンダ機能部１３が選択受信する一の波長の光信号強度の具体的な算出方法の一例として以下の手法が挙げられる。
まず、光チャネルモニタ機能部１１が取得した光多重化信号スペクトル情報から、波長ごとの強度と光多重化信号トータルの強度を検出する。次に、光多重化信号トータルの強度に対するトランスポンダ機能部１３が選択受信した一の波長の光信号の強度比を算出する。そして、トランスポンダ機能部１３が取得した光多重化信号の強度に、算出した強度比を乗算することによって、トランスポンダ機能部１３が選択受信した一の波長の光信号の強度を得ることができる。
【００２４】
また、監視制御部１４に所定の設定値（レベル）をあらかじめ記憶させておき、監視制御部１４が、選択受信した一の波長の光信号の強度がそのレベルを下回る場合においてアラームを発するなどして、通信障害の発生をオペレータに認知させる機能を備えていてもよい。
【００２５】
本発明の光伝送装置１０によれば、オペレータは、トランスポンダ機能部１３が選択受信する一の波長の光信号の強度を把握することができ、光多重化信号に含まれる特定の波長の光信号に障害が生じているかどうかを瞬時に判断することができる。これによって、例えば、選択受信する一の波長の光信号の強度が既定の値よりも低い場合、その光信号が伝送された光伝送路、または上流の送信装置そのものに障害が発生していると判断でき、原因の特定及び復旧措置を迅速に行うことができる。
【００２６】
また、本発明の光伝送装置１０によれば、新たに光チャネルモニタ機能部を追加搭載しなくとも、もともと他の目的で実装されていた光チャネルモニタ機能部を転用するのみで、上述したような効果を得ることができる。
【００２７】
図２は、本発明の第一の実施形態による光伝送装置の機能構成を示す第二の図である。
図２は、図１における光伝送装置１０を、より詳細に示したものである。
この図において、光伝送装置２０は、上流に位置する複数の光伝送装置から光伝送路０２１１〜０２１ｍを介して光多重化信号を受信し、また、下流に位置する複数の光伝送装置へ光伝送路０２２１〜０２２ｍを介して光多重化信号を送信する光伝送装置である。
【００２８】
図２に示す通り、光伝送装置２０は、光チャネルモニタ機能部２１１〜２１ｍ、光分岐部２２１〜２２ｍ、トランスポンダ機能部２３１〜２３ｎ、受信側光増幅器２４１〜２４ｍ、光クロスコネクト機能部２５１〜２５ｍ、送信側光増幅器２６１〜２６ｍ、光合分波機能部２７、及び監視制御部２８を備えている。
光チャネルモニタ機能部２１１〜２１ｍ、光分岐部２２１〜２２ｍ、トランスポンダ機能部２３１〜２３ｎの各種機能については、図１に示す実施形態で説明したものと同等である。なお、光伝送装置２０はこれら以外の構成要素を備えていてもよい。
【００２９】
ここで、光伝送路０２１１から受信した光多重化信号については、光チャネルモニタ機能部２１１、光分岐部２２１、受信側光増幅器２４１、光クロスコネクト機能部２５１及び光合分波機能部２７が、図１の光伝送装置１０が備える光チャネルモニタ機能部１１、光分岐部１２及び各種機能ブロック１５と対応する構成となっている。また、他の光伝送路（例えば、光伝送路０２１ｍ）から受信した他の光多重化信号についても、個々に対応する機能ブロック（例えば、光チャネルモニタ機能部２１ｍ、光分岐部２２ｍ等）によって、それぞれ独立して光多重化信号の送受信処理を行うことができる構成となっている。
一方、光伝送装置２０は、複数のトランスポンダ機能部２３１〜２３ｎを備えており、これらを用いて、複数信号の送受信を並列に処理することができる。
【００３０】
受信側光増幅器２４１は、光分岐部２２１を介して入力された光多重化信号を一括で増幅し、光クロスコネクト機能部２５１へと出力する機能を備える。
また、光クロスコネクト機能部２５１は、受信側光増幅器２４１を介して入力した光多重化信号のうち、選択したものを光合分波機能部２７へと出力する機能（Ｄｒｏｐ）及び、光合分波機能部２７から入力した光多重化信号を送信側光増幅器２６１へと出力する機能（Ａｄｄ）を備えている。また、入力した光信号をＤｒｏｐせずに、そのまま送信側光増幅器２６１へと出力することもできる。
送信側光増幅器２６１は、光クロスコネクト機能部２５１を介して入力した光多重化信号を増幅し、光伝送路０２２１を介して下流の光伝送装置へと出力する機能を備える。
なお、他の各種機能ブロックについても同様である。
【００３１】
光合分波機能部２７は、複数の光クロスコネクト機能部２５１〜２５ｍ及びトランスポンダ機能部２３１〜２３ｎに接続されていて、各光クロスコネクト機能部２５１〜２５ｍを経由して受信した光多重化信号を入力し、入力した光多重化信号ごとに任意のトランスポンダ機能部２３１〜２３ｎを選択して出力する機能を備える。また、各々のトランスポンダ機能部２３１〜２３ｎから入力した光信号を、同じ送信先の他の光信号と多重化して、その送信先に対応する光クロスコネクト機能部（２５１〜２５ｍの何れか）へと出力する機能を備える。
【００３２】
なお、複数の光伝送路を介して複数の光多重化信号を送受信する光伝送装置２０においては、光合分波機能部２７は、その複数の光クロスコネクト機能部２５１〜２５ｍ及び複数のトランスポンダ機能部２３１〜２３ｎ間における相互通信をより柔軟かつ合理的に実現することができるＣＤＣ（Ｃｏｌｏｒｌｅｓｓ，Ｄｉｒｅｃｔｉｏｎｌｅｓｓ，Ｃｏｎｔｅｎｔｉｏｎｌｅｓｓ）機能を有していることが望ましい。
【００３３】
次に、第一の実施形態による光伝送装置２０の具体的な動作について、順を追って説明する。
まず、光伝送装置２０は、光伝送路０２１１を介して光多重化信号を受信する。光分岐部２２１は、受信した光多重化信号を、全波長について一定の強度比率で分岐して、光チャネルモニタ機能部２１１及び受信側光増幅器２４１へと出力する。光多重化信号を入力した光チャネルモニタ機能部２１１は、その光多重化信号スペクトル情報を取得し、さらに、その情報を監視制御部２８へ通知する。
【００３４】
一方、受信側光増幅器２４１へと出力された光多重化信号については、光クロスコネクト機能部２５１がＤｒｏｐし、光合分波機能部２７が選択した一のトランスポンダ機能部（ここでは、トランスポンダ機能部２３１とする。）が入力する。光多重化信号を入力したトランスポンダ機能部２３１は、その内部において光多重化信号から一の波長の光信号を選択受信し、所望の情報を取得するとともに、入力した光多重化信号の強度を取得する。さらに、取得した光多重化信号の強度を監視制御部２８へ通知する。
【００３５】
そして、監視制御部２８は、光チャネルモニタ機能部２１１及びトランスポンダ機能部２３１が取得した情報の通知を受け、トランスポンダ機能部２３１が選択受信する一の波長の光信号の強度を算出し、これを適当な表示手段に通知して表示する。
【００３６】
このようにして、複数の光伝送路を介して複数の光多重化信号を送受信することができ、より実用的な実施形態である光伝送装置２０についても、図１に示した実施形態を適用することができる。
【００３７】
＜第二の実施形態＞
次に、第二の実施形態について図３を用いて説明する。
図３は、本発明の第二の実施形態による光伝送装置の機能構成を示す第一の図である。
この図において、第一の光伝送装置３１は、第二の光伝送装置３２の上流に位置し、第二の光伝送装置３２に対して、光伝送路０３を介して光多重化信号を送信する。
まず、第一の光伝送装置３１及び第二の光伝送装置３２それぞれの構成について説明する。図３に示す通り、第一の光伝送装置３１は、光チャネルモニタ機能部３１１、第一の監視制御光機能部３１２、光多重化信号出力部３１３、光分岐部３１４及び監視制御光合波部３１５を搭載している。また、第二の光伝送装置３２は、監視制御光分波部３２１、第二の監視制御光機能部３２２、トランスポンダ機能部３２３、監視制御部３２４及び各種機能ブロック３２５を搭載している。なお、第一の光伝送装置３１及び第二の光伝送装置３２は、これら以外の構成要素を備えていてもよい。
【００３８】
光チャネルモニタ機能部３１１、トランスポンダ機能部３２３の機能については図１及び図２の実施形態のものと同等であるため説明を省略する。
【００３９】
第一の光伝送装置３１が備える光多重化信号出力部３１３は、第二の光伝送装置３２へ送信しようとする主情報を含む光多重化信号を出力する手段である。
また、光分岐部３１４は、全波長の光信号を一定の比率で分岐するものである。光分岐部３１４は、第一の光伝送装置３１が第二の光伝送装置３２へ送信しようとする光多重化信号の全波長について一定の強度比率で分岐し、光チャネルモニタ機能部３１１及び監視制御光合波部３１５へと出力する。
【００４０】
第一の監視制御光機能部３１２及び第二の監視制御光機能部３２２は、主情報の伝送に用いる光信号とは異なる波長の光信号に割り当てられた監視制御光を用いて、光伝送装置同士で監視制御情報の送受信を行うものである。
ここで、第一の光伝送装置３１が備える第一の監視制御光機能部３１２は、光チャネルモニタ機能部３１１が取得する光多重化信号スペクトル情報を受け取り、その情報を、監視制御光を用いて第二の光伝送装置３２へと送信する機能を備えている。
【００４１】
第一の光伝送装置３１が備える監視制御光合波部３１５は、光分岐部３１４を介して入力された光多重化信号と、第一の監視制御光機能部３１２から入力された監視制御光を合波し、送信しようとする主情報及び光多重化信号スペクトル情報を含む新たな光多重化信号として合一に出力する機能を備えている。
【００４２】
第二の光伝送装置３２が備える監視制御光分波部３２１は、第二の光伝送装置３２が受信した光多重化信号のうち、監視制御光に割り当てられた波長のみを抽出して第二の監視制御光機能部３２２へと出力し、他の主情報用の光多重化信号を各種機能ブロック３２５へと送信する機能を備えている。
【００４３】
第二の光伝送装置３２が備える第二の監視制御光機能部３２２は、監視制御光分波部３２１を介して入力された監視制御光に基づいて光多重化信号スペクトル情報を取得し、監視制御部３２４に通知する機能を備えている。
【００４４】
次に、第二の実施形態による第一の光伝送装置３１及び第二の光伝送装置３２の具体的な動作について順を追って説明する。
まず、第一の光伝送装置３１の具体的な動作について説明する。第一の光伝送装置３１では、光多重化信号出力部３１３が、第二の光伝送装置３２へ送信しようとする光多重化信号を生成・出力する。
次に、光多重化信号出力部３１３が出力した光多重化信号を、光分岐部３１４が入力する。光分岐部３１４は、入力した光多重化信号を、全ての波長の光信号について一定の強度比率で光チャネルモニタ機能部３１１及び監視制御光合波部３１５へと出力する。
次に、光多重化信号を入力した光チャネルモニタ機能部３１１は、その光多重化信号スペクトル情報を取得し、第一の監視制御光機能部３１２へと通知する。
第一の監視制御光機能部３１２は、光チャネルモニタ機能部３１１から受け取った光多重化信号スペクトル情報を、監視制御光を用いて監視制御光合波部３１５へと出力する。
監視制御光合波部３１５は、光分岐部３１４から入力した光多重化信号（第一の光伝送装置３１が第二の光伝送装置３２へ送信しようとする主情報を含む光多重化信号）と、第一の監視制御光機能部３１２から入力した監視制御光（第二の光伝送装置３２へ送信する光多重化信号の光多重化信号スペクトル情報を含む監視制御光）を合波させ、これらの情報を含む新たな光多重化信号として光伝送路０３に出力する。
【００４５】
続いて、第一の光伝送装置３１から光多重化信号を受信した第二の光伝送装置３２の具体的な動作について説明する。第二の光伝送装置３２が光多重化信号を受信すると、監視制御光分波部３２１は、第二の光伝送装置３２が受信した光多重化信号のうち、監視制御光に割り当てられた波長の光信号のみを取り出し、取り出した監視制御光を第二の監視制御光機能部３２２に出力する。また、それ以外の波長の光信号は全て各種機能ブロック３２５へ出力する。
第二の監視制御光機能部３２２は、受信した監視制御光に基づいて光多重化信号スペクトル情報を取得し、さらに、その情報を監視制御部３２４へと通知する。
一方、各種機能ブロック３２５へと伝送された監視制御光以外の光多重化信号を、トランスポンダ機能部３２３が入力する。光多重化信号を入力したトランスポンダ機能部３２３は、その内部において光多重化信号から一の波長の光信号を選択受信し、所望の情報を取得するとともに、入力した光多重化信号そのものの強度を取得する。さらに、取得した光多重化信号の強度を監視制御部３２４へ通知する。
そして、監視制御部３２４は、第二の監視制御光機能部３２２及びトランスポンダ機能部３２３が取得した情報を受け取って、トランスポンダ機能部３２３が選択受信する一の波長の光信号の強度を算出し、これを適当な表示手段に通知して表示する。
【００４６】
本発明の第一の光伝送装置３１及び第二の光伝送装置３２によれば、監視制御光を利用して、上流に位置する光伝送装置によって伝送された光多重化信号スペクトル情報を取得し、トランスポンダ機能部が選択受信する一の波長の光信号の強度を把握することができる。このようにすれば、選択受信する一の波長の光信号の強度が既定の値よりも低い場合、その光信号を伝送した上流の送信装置そのものに障害が発生している可能性が高いと判断でき、原因の特定及び復旧措置を迅速に行うことができる。
【００４７】
また、本発明の第一の光伝送装置３１及び第二の光伝送装置３２によれば、新たに光チャネルモニタ機能部を追加搭載しなくとも、もともと他の目的で実装されていた光チャネルモニタ機能部を転用するのみで、上述したような効果を得ることができる。
【００４８】
図４は、本発明の第二の実施形態による光伝送装置の機能構成を示す第二の図である。
図４は、図３における第一の光伝送装置３１、第二の光伝送装置３２の備えるそれぞれの機能をひとつの装置に統合した光伝送装置４００について示したものである。
この図において、光伝送装置４００は、光チャネルモニタ機能部４０１、監視制御光機能部４０２、複数のトランスポンダ機能部４０３１〜４０３ｎ、監視制御光分波部４０４、光分岐部４０９、監視制御光合波部４１０、及び監視制御部４１１を備えている。また、受信側光増幅器４０５、光クロスコネクト機能部４０６、送信側光増幅器４０７及び光合分波機能部４０８は、図３における第一の光伝送装置３１の光多重化信号出力部３１３及び、第二の光伝送装置３２の各種機能ブロック３２５に対応している。なお、光伝送装置４００はこれら以外の構成要素を備えていてもよい。
【００４９】
光チャネルモニタ機能部４０１、複数のトランスポンダ機能部４０３１〜４０３ｎ、監視制御光分波部４０４、光分岐部４０９、監視制御光合波部４１０及び監視制御部４１１の具体的な処理及びその効果については、図３に示す実施形態の各機能部と同様である。また、受信側光増幅器４０５、光クロスコネクト機能部４０６、送信側光増幅器４０７及び光合分波機能部４０８の具体的な処理及びその効果については、図２に示した光伝送装置２０の各機能ブロックと同等である。
【００５０】
ここで、監視制御光機能部４０２は、光チャネルモニタ機能部４０１から光多重化信号スペクトル情報を受け取り、その情報を、監視制御光合波部４１０を介して下流の光伝送装置へと送信する機能と、監視制御光分波部４０４を介して上流から受信した監視制御光に基づいて光多重化信号スペクトル情報を取得し、監視制御部４１１に通知する機能の両方を備えている。
【００５１】
光伝送装置４００は、このような監視制御光機能部４０２を備えることにより、自己が備える光チャネルモニタ機能部４０１が取得した光多重化信号スペクトル情報を、下流の光伝送装置に送信すると同時に、上流の光伝送装置から受信した監視制御光に基づく光多重化信号スペクトル情報を取得することができる。
これにより、例えば、光伝送装置４００を縦列に複数接続したような光伝送ネットワークであっても、各光伝送装置間において、図３に示した実施形態を実施することができる。
【００５２】
なお、光伝送装置４００についても、第一の実施形態の図２で示した光伝送装置２０と同様に、複数の光伝送路を介して複数の光多重化信号を送受信する機能を備えていてもよい。この場合、それぞれの光伝送路に対応する別の光チャネルモニタ機能部、監視制御光機能部、光分岐部、監視制御光分波手段、監視制御光合波手段等を複数備えていてもよい（図示せず）。
【００５３】
＜第三の実施形態＞
次に、第一の実施形態、第二の実施形態とは異なる第三の実施形態について図５を用いて説明する。
図５は、本発明の第三の実施形態による光伝送装置の機能構成を示す図である。
この図において、光伝送装置５０は、上流に位置する複数の光伝送装置から光伝送路０５１１〜０５１ｍを介して光多重化信号を受信し、また、下流に位置する複数の光伝送装置へ光伝送路０５２１〜０５２ｍを介して光多重化信号を送信する光伝送装置である。
【００５４】
図５に示す通り、光伝送装置５０は、光チャネルモニタ機能部５１、トランスポンダ機能部５２１〜５２ｎ、受信側光増幅器５３１〜５３ｍ、光クロスコネクト機能部５４１〜５４ｍ、送信側光増幅器５５１〜５５ｍ、光合分波機能部５６、及び監視制御部５７を備えている。
光チャネルモニタ機能部５１、トランスポンダ機能部５２１〜５２ｎ、受信側光増幅器５３１〜５３ｍ、光クロスコネクト機能部５４１〜５４ｍ及び送信側光増幅器５５１〜５５ｍの各種機能については、図１から図４に示す実施形態で説明したものと同等である。なお、光伝送装置５０はこれら以外の構成要素を備えていてもよい。
【００５５】
光伝送装置５０において、光合分波機能部５６は、光クロスコネクト機能部５４１〜５４ｍ、トランスポンダ機能部５２１〜５２ｎに接続されている。また、光合分波機能部５６は、その一の出力ポートを光チャネルモニタ機能部５１と接続している。光合分波機能部５６は、図１から図４に示す実施形態の光合分波機能部と同様のものであるが、その一の出力ポートに光チャネルモニタ機能部５１を接続することによって、入力した任意の光多重化信号の一を、任意のタイミングで光チャネルモニタ機能部５１へと出力することができる。
【００５６】
次に、第三の実施形態による光伝送装置５０の具体的な動作について順を追って説明する。
まず、光伝送装置５０は、複数の光伝送路の一である光伝送路０５１１から光多重化信号を受信すると、その光多重化信号を受信側光増幅器５３１及び光クロスコネクト機能部５４１を経由して、光合分波機能部５６へと入力する。その光多重化信号を入力した光合分波機能部５６は、対応する一のトランスポンダ機能部（ここでは、トランスポンダ機能部５２１とする。）へと出力する。光多重化信号を入力したトランスポンダ機能部５２１は、その内部において光多重化信号から一の波長の光信号を選択受信し、所望の情報を取得する。
【００５７】
また、光合分波機能部５６は、オペレータからの指示に従って、あるいは、入力した光多重化信号がトランスポンダ機能部５２１との通信の用に給しない期間において自動で、その光多重化信号を光チャネルモニタ機能部５１へと出力する。ここで、光合分波機能部５６は、他の方路から受信した他の光多重化信号についても同様に、光チャネルモニタ機能部５１へと出力することができる。さらに、これらを自動で一定周期ごとに切り替えながら光チャネルモニタ機能部５１へと出力する機能を有していてもよい。
【００５８】
光合分波機能部５６から光多重化信号を入力した光チャネルモニタ機能部５１は、その光多重化信号スペクトル情報を取得し、さらに、その情報を監視制御部５７へ通知する。そして、監視制御部５７は、光チャネルモニタ機能部５１が取得した情報を受け取って、トランスポンダ機能部５２１が選択受信する一の波長の光信号の強度を算出し、これを適当な表示手段に通知して表示する。
【００５９】
本発明の光伝送装置５０によれば、一つの光チャネルモニタ機能部５１を備えるのみで、光伝送装置５０が受信する複数の光多重化信号の光多重化信号スペクトル情報を取得することができる。
また、光チャネルモニタ機能部５１が光合分波機能部５６から入力した光多重化信号は、本来、トランスポンダ機能部５２１〜５２ｎが入力すべき光多重化信号と同等の経路を経由してきたものであるから、トランスポンダ機能部５２１〜５２ｎの入力部における光信号強度を精度よくモニタリングすることができる。
【００６０】
上記の実施形態の一部又は全部は、以下の付記の用にも記載されうるが、以下には限られない。
【００６１】
（付記１）波長が異なる複数の光信号が多重化された光多重化信号を入力し、当該光多重化信号に含まれる光信号ごとの強度を示す光多重化信号スペクトル情報を取得する光チャネルモニタ機能部と、
前記光多重化信号を入力し、当該光多重化信号から一の光信号を選択受信して所望の情報を取得するとともに、前記光多重化信号の強度を取得するトランスポンダ機能部と、
前記光チャネルモニタ機能部が取得した前記光多重化信号スペクトル情報と、前記トランスポンダ機能部が取得した前記光多重化信号の強度に基づいて、前記トランスポンダ機能部が選択受信した一の光信号の強度を算出する監視制御部と、
を備える光伝送装置。
【００６２】
（付記２）前記光チャネルモニタ機能部が取得した前記光多重化信号スペクトル情報を、光伝送路を介して他の光伝送装置へと送信する監視制御光機能部と、
を備える付記１に記載の光伝送装置。
【００６３】
（付記３）前記監視制御光機能部は、
さらに、他の光伝送装置が備える監視制御光機能部が送信した他の光多重化信号スペクトル情報を、光伝送路を介して受信して取得し、
前記監視制御部は、
前記光チャネルモニタ機能部が取得した前記光多重化信号スペクトル情報に替えて、前記監視制御光機能部が取得した前記他の光多重化信号スペクトル情報と、前記トランスポンダ機能部が取得した前記光多重化信号の強度に基づいて、前記トランスポンダ機能部が選択受信した一の光信号の強度を算出する、
ことを特徴とする付記１または付記２に記載の光伝送装置。
【００６４】
（付記４）前記監視制御部は、前記光チャネルモニタ機能部が取得した前記光多重化信号スペクトル情報を用いて、前記トランスポンダ機能部が選択受信した一の光信号の強度比を算出し、これを前記トランスポンダ機能部が取得した前記光多重化信号の強度に乗算することによって、前記トランスポンダ機能部が選択受信した一の光信号の強度を算出する、
ことを特徴とする付記１に記載の光伝送装置。
【００６５】
（付記５）前記監視制御部は、前記監視制御光機能部が取得した前記他の光多重化信号スペクトル情報を用いて、前記トランスポンダ機能部が選択受信した一の光信号の強度比を算出し、これを前記トランスポンダ機能部が取得した前記光多重化信号の強度に乗算することによって、前記トランスポンダ機能部が選択受信した一の光信号の強度を算出する、
ことを特徴とする付記３に記載の光伝送装置。
【００６６】
（付記６）複数の光伝送路を介して受信した複数の光多重化信号を、前記トランスポンダ機能部または前記光チャネルモニタ機能部へ分配して出力する光合分波機能部と、
を備える付記１から付記４の何れか一に記載の光伝送装置。
【００６７】
（付記７）波長が異なる複数の光信号が多重化された光多重化信号を入力し、当該光多重化信号に含まれる光信号ごとの強度を示す光多重化信号スペクトル情報を取得する光チャネルモニタ機能部と、
前記光多重化信号を入力し、当該光多重化信号から一の光信号を選択受信して所望の情報を取得する複数のトランスポンダ機能部と、
複数の光伝送路を介して受信した複数の光多重化信号を、前記トランスポンダ機能部または前記光チャネルモニタ機能部へ分配して出力する光合分波機能部と、
前記光チャネルモニタ機能部が取得した前記光多重化信号スペクトル情報に基づいて、前記トランスポンダ機能部が選択受信した一の光信号の強度を算出する監視制御部と、
を備える光伝送装置。
【００６８】
（付記８）前記光合分波機能部は、前記複数の光伝送路を介して受信した複数の光多重化信号の一ずつを、一定期間ごとに切り替えて前記光チャネルモニタ機能部へと送信する、
ことを特徴とする付記６または付記７に記載の光伝送装置。
【００６９】
（付記９）波長が異なる複数の光信号が多重化された光多重化信号を入力し、当該光多重化信号に含まれる光信号ごとの強度を示す光多重化信号スペクトル情報を取得する光チャネルモニタ機能部と、
前記光チャネルモニタ機能部が取得した前記光多重化信号スペクトル情報を、光伝送路を介して他の光伝送装置へと送信する監視制御光機能部と、
を備える第一の光伝送装置と、
光伝送路を介して受信した光多重化信号を入力し、入力した前記光多重化信号から一の光信号を選択受信して所望の情報を取得するとともに、前記光多重化信号の強度を取得するトランスポンダ機能部と、
前記第一の光伝送装置が備える前記監視制御光機能部から、光伝送路を介して受信した前記光多重化信号スペクトル情報と、前記トランスポンダ機能部が取得した前記光多重化信号の強度に基づいて、前記トランスポンダ機能部が選択受信した一の光信号の強度を算出する監視制御部と、
を備える第二の光伝送装置と、
が光伝送路によって接続されたことを特徴とする光伝送システム。
【００７０】
（付記１０）光チャネルモニタ機能部が、波長が異なる複数の光信号が多重化された光多重化信号を入力して、当該光多重化信号に含まれる光信号ごとの強度を示す光多重化信号スペクトル情報を取得し、
トランスポンダ機能部が、前記光多重化信号を入力し、当該光多重化信号から一の光信号を選択受信して所望の情報を取得するとともに、前記光多重化信号の強度を取得し、
監視制御部が、前記光チャネルモニタ機能部が取得した前記光多重化信号スペクトル情報と、前記トランスポンダ機能部が取得した前記光多重化信号の強度に基づいて、前記トランスポンダ機能部が選択受信した一の光信号の強度を算出する、
ことを特徴とする光伝送方法。
【００７１】
（付記１１）光チャネルモニタ機能部が、波長が異なる複数の光信号が多重化された光多重化信号を入力して、当該光多重化信号に含まれる光信号ごとの強度を示す光多重化信号スペクトル情報を取得し、
複数のトランスポンダ機能部が、前記光多重化信号を入力し、当該光多重化信号から一の光信号を選択受信して所望の情報を取得し、
光合分波機能部が、複数の光伝送路を介して受信した複数の光多重化信号を、その一ずつ、前記トランスポンダ機能部または前記光チャネルモニタ機能部へ分配して出力し、
監視制御部が、前記光チャネルモニタ機能部が取得した前記光多重化信号スペクトル情報に基づいて、前記トランスポンダ機能部が選択受信した一の光信号の強度を算出する、
ことを特徴とする光伝送方法。
【００７２】
（付記１２）第一の光伝送装置と第二の光伝送装置とを有する光伝送システムの光伝送方法であって、
前記第一の光伝送装置の光チャネルモニタ機能部が、波長が異なる複数の光信号が多重化された光多重化信号を入力し、当該光多重化信号に含まれる光信号ごとの強度を示す光多重化信号スペクトル情報を取得し、
前記第一の光伝送装置の監視制御光機能部が、前記光チャネルモニタ機能部が取得した前記光多重化信号スペクトル情報を、光伝送路を介して他の光伝送装置へと送信し、
前記第二の光伝送装置のトランスポンダ機能部が、光伝送路を介して受信した光多重化信号を入力し、入力した前記光多重化信号から一の光信号を選択受信して所望の情報を取得するとともに、前記光多重化信号の強度を取得し、
前記第二の光伝送装置の監視制御部が、前記第一の光伝送装置が備える前記監視制御光機能部から、光伝送路を介して受信した前記光多重化信号スペクトル情報と、前記トランスポンダ機能部が取得した前記光多重化信号の強度に基づいて、前記トランスポンダ機能部が選択受信した一の光信号の強度を算出する、
ことを特徴とする光伝送方法。
【符号の説明】
【００７３】
１０，２０，３１，３２，４００，５０・・・光伝送装置
１１，２１１，３１１，４０１，５１・・・光チャネルモニタ機能部
１２，２２１，３１４，４０９・・・光分岐部
１３，２３１，３２３，４０３１，５２１・・・トランスポンダ機能部
１４，２８，３２４，４１１，５７・・・監視制御部
２４１，４０５，５３１・・・受信側光増幅器
２５１，４０６，５４１・・・光クロスコネクト機能部
２６１，４０７，５５１・・・送信側光増幅器
２７，４０８，５６・・・光合分波機能部
３１２・・・第一の監視制御光機能部
３１５，４１０・・・監視制御光合波部
３２１，４０４・・・監視制御光分波部
３２２・・・第二の監視制御光機能部
４０２・・・監視制御光機能部
【図１】
2014039156.tif 000003
【図２】
2014039156.tif 000004
【図３】
2014039156.tif 000005
【図４】
2014039156.tif 000006
【図５】
2014039156.tif 000007